(57)【要約】  本出願の実施例はアップリンク制御チャネルの伝送方法、端末機器及びネットワーク機器を提供し、端末機器は、アップリンク制御チャネルを伝送する最大コードレートに基づいて、アップリンク制御チャネルで搬送されるアップリンク制御情報を決定し、また異なるアップリンク制御情報に基づいて最適化され、アップリンク制御情報の確実な伝送を確保することができる。前記方法は、端末機器が、少なくとも１つのアップリンク制御チャネルの最大コードレートからアップリンク制御チャネルを伝送する最大コードレートを決定することと、前記端末機器が、前記アップリンク制御チャネルを伝送する最大コードレートに基づいて、前記アップリンク制御チャネルで搬送されるアップリンク制御情報を決定することとを含む。
2021503736.tif 000002
【特許請求の範囲】
【請求項１】
アップリンク制御チャネルの伝送方法であって、
端末機器が、少なくとも１つのアップリンク制御チャネルの最大コードレートからアップリンク制御チャネルを伝送する最大コードレートを決定することと、
前記端末機器が、前記アップリンク制御チャネルを伝送する最大コードレートに基づいて、前記アップリンク制御チャネルで搬送されるアップリンク制御情報を決定することとを含む、前記アップリンク制御チャネルの伝送方法。
【請求項２】
前記端末機器が、少なくとも１つのアップリンク制御チャネルの最大コードレートからアップリンク制御チャネルを伝送する最大コードレートを決定することは、
前記端末機器が、前記少なくとも１つのアップリンク制御チャネルの最大コードレートから、一つのアップリンク制御チャネルを伝送する最大コードレートを決定することであって、前記アップリンク制御チャネルによって搬送されるすべてのアップリンク制御情報が、１つの最大コードレートに対応することを含むことを特徴とする、
請求項１に記載のアップリンク制御チャネルの伝送方法。
【請求項３】
前記端末機器が、少なくとも１つのアップリンク制御チャネルの最大コードレートからアップリンク制御チャネルを伝送する最大コードレートを決定することは、
前記端末機器が、前記少なくとも１つのアップリンク制御チャネルの最大コードレートから、複数のアップリンク制御チャネルを伝送する最大コードレートを決定することであって、前記アップリンク制御チャネルによって搬送される複数種類のアップリンク制御情報が、それぞれ複数の最大コードレートに対応することを含むことを特徴とする、
請求項１に記載のアップリンク制御チャネルの伝送方法。
【請求項４】
前記アップリンク制御チャネルを伝送する最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つに基づいて、決定されることを特徴とする、
請求項１ないし３のいずれか一項に記載のアップリンク制御チャネルの伝送方法。
【請求項５】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項４に記載のアップリンク制御チャネルの伝送方法。
【請求項６】
前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含むことを特徴とする、
請求項４又は５に記載のアップリンク制御チャネルの伝送方法。
【請求項７】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項４ないし６のいずれか一項に記載のアップリンク制御チャネルの伝送方法。
【請求項８】
前記スクランブル方式は、スクランブルコードシーケンス初期化パラメータを含むことを特徴とする、
請求項４ないし７のいずれか一項に記載のアップリンク制御チャネルの伝送方法。
【請求項９】
前記端末機器が、少なくとも１つのアップリンク制御チャネルによって伝送される最大コードレートから、前記アップリンク制御チャネルを伝送する最大コードレートを決定する前に、前記方法は、
前記端末機器が、ネットワーク機器によって構成される前記少なくとも１つのアップリンク制御チャネルの最大コードレートを受信することをさらに含むことを特徴とする、
請求項１ないし８のいずれか一項に記載のアップリンク制御チャネルの伝送方法。
【請求項１０】
前記端末機器が、少なくとも１つのアップリンク制御チャネルによって伝送される最大コードレートからアップリンク制御チャネルを伝送する最大コードレートを決定することは、
前記端末機器が、複数種類のアップリンク制御情報にそれぞれ対応する最大コードレート内の最小値を、前記アップリンク制御チャネルを伝送する最大コードレートとして決定することを含むことを特徴とする、
請求項１ないし９のいずれか一項に記載のアップリンク制御チャネルの伝送方法。
【請求項１１】
前記端末機器が、前記アップリンク制御チャネルを伝送する最大コードレートに基づいて、前記アップリンク制御チャネルで搬送されるアップリンク制御情報を決定することは、
前記端末機器が、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定することを含むことを特徴とする、
請求項１ないし１０のいずれか一項に記載のアップリンク制御チャネルの伝送方法。
【請求項１２】
前記端末機器が、前記アップリンク制御チャネルを伝送する最大コードレートに基づいて、前記アップリンク制御チャネルで搬送されるアップリンク制御情報を決定することは、
前記端末機器が、前記アップリンク制御チャネルを伝送する最大コードレート及び前記アップリンク制御情報の優先度に基づいて、前記アップリンク制御チャネルで搬送されるアップリンク制御情報を決定することを含むことを特徴とする、
請求項１ないし１０のいずれか一項に記載のアップリンク制御チャネルの伝送方法。
【請求項１３】
アップリンク制御チャネルの伝送方法であって、
ネットワーク機器が、少なくとも１つのアップリンク制御チャネルの最大コードレートからアップリンク制御チャネルを伝送する最大コードレートを決定することと、
前記ネットワーク機器が、前記アップリンク制御チャネルを伝送する最大コードレートに基づいて、前記アップリンク制御チャネルで搬送されるアップリンク制御情報を決定することとを含む、前記アップリンク制御チャネルの伝送方法。
【請求項１４】
前記ネットワーク機器が、少なくとも１つのアップリンク制御チャネルの最大コードレートからアップリンク制御チャネルを伝送する最大コードレートを決定することは、
前記ネットワーク機器が、前記少なくとも１つのアップリンク制御チャネルの最大コードレートから、一つのアップリンク制御チャネルを伝送する最大コードレートを決定することであって、前記アップリンク制御チャネルによって搬送されるすべてのアップリンク制御情報が、１つの最大コードレートに対応することを含むことを特徴とする、
請求項１３に記載のアップリンク制御チャネルの伝送方法。
【請求項１５】
前記ネットワーク機器が、少なくとも１つのアップリンク制御チャネルの最大コードレートからアップリンク制御チャネルを伝送する最大コードレートを決定することは、
前記ネットワーク機器が、前記少なくとも１つのアップリンク制御チャネルの最大コードレートから、複数のアップリンク制御チャネルを伝送する最大コードレートを決定することであって、前記アップリンク制御チャネルによって搬送される複数種類のアップリンク制御情報が、それぞれ複数の最大コードレートに対応することを含むことを特徴とする、
請求項１３に記載のアップリンク制御チャネルの伝送方法。
【請求項１６】
前記アップリンク制御チャネルを伝送する最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つに基づいて、決定されることを特徴とする、
請求項１３ないし１５のいずれか一項に記載のアップリンク制御チャネルの伝送方法。
【請求項１７】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項１６に記載のアップリンク制御チャネルの伝送方法。
【請求項１８】
前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含むことを特徴とする、
請求項１６又は１７に記載のアップリンク制御チャネルの伝送方法。
【請求項１９】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項１６ないし１８のいずれか一項に記載のアップリンク制御チャネルの伝送方法。
【請求項２０】
前記スクランブル方式は、スクランブルコードシーケンス初期化パラメータを含むことを特徴とする、
請求項１６ないし１９のいずれか一項に記載のアップリンク制御チャネルの伝送方法。
【請求項２１】
前記ネットワーク機器が、少なくとも１つのアップリンク制御チャネルによって伝送される最大コードレートから、前記アップリンク制御チャネルを伝送する最大コードレートを決定する前に、前記方法は、
前記ネットワーク機器が、前記少なくとも１つのアップリンク制御チャネルの最大コードレートを構成することをさらに含むことを特徴とする、
請求項１３ないし２０のいずれか一項に記載のアップリンク制御チャネルの伝送方法。
【請求項２２】
前記ネットワーク機器が、少なくとも１つのアップリンク制御チャネルによって伝送される最大コードレートからアップリンク制御チャネルを伝送する最大コードレートを決定することは、
前記ネットワーク機器が、複数種類のアップリンク制御情報にそれぞれ対応する最大コードレート内の最小値を、前記アップリンク制御チャネルを伝送する最大コードレートとして決定することを含むことを特徴とする、
請求項１３ないし２１のいずれか一項に記載のアップリンク制御チャネルの伝送方法。
【請求項２３】
前記ネットワーク機器が、前記アップリンク制御チャネルを伝送する最大コードレートに基づいて、前記アップリンク制御チャネルで搬送されるアップリンク制御情報を決定することは、
前記ネットワーク機器が、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定することを含むことを特徴とする、
請求項１３ないし２２のいずれか一項に記載のアップリンク制御チャネルの伝送方法。
【請求項２４】
前記ネットワーク機器が、前記アップリンク制御チャネルを伝送する最大コードレートに基づいて、前記アップリンク制御チャネルで搬送されるアップリンク制御情報を決定することは、
前記ネットワーク機器が、前記アップリンク制御チャネルを伝送する最大コードレート及び前記アップリンク制御情報の優先度に基づいて前記アップリンク制御チャネルで搬送されるアップリンク制御情報を決定することを含むことを特徴とする、
請求項１３ないし２２のいずれか一項に記載のアップリンク制御チャネルの伝送方法。
【請求項２５】
端末機器であって、
少なくとも１つのアップリンク制御チャネルの最大コードレートからアップリンク制御チャネルを伝送する最大コードレートを決定するように構成される処理ユニットを含み、
前記処理ユニットは、さらに、前記アップリンク制御チャネルを伝送する最大コードレートに基づいて、前記アップリンク制御チャネルで搬送されるアップリンク制御情報を決定するように構成される、前記端末機器。
【請求項２６】
前記処理ユニットは、さらに、前記少なくとも１つのアップリンク制御チャネルの最大コードレートから、一つのアップリンク制御チャネルを伝送する最大コードレートを決定するように構成され、前記アップリンク制御チャネルによって搬送されるすべてのアップリンク制御情報が、１つの最大コードレートに対応することを特徴とする、
請求項２５に記載の端末機器。
【請求項２７】
前記処理ユニットは、さらに、前記少なくとも１つのアップリンク制御チャネルの最大コードレートから、複数のアップリンク制御チャネルを伝送する最大コードレートを決定するように構成され、前記アップリンク制御チャネルによって搬送される複数種類のアップリンク制御情報が、それぞれ複数の最大コードレートに対応することを特徴とする、
請求項２５に記載の端末機器。
【請求項２８】
前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定されることを特徴とする、
請求項２５ないし２７のいずれか一項に記載の端末機器。
【請求項２９】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項２８に記載の端末機器。
【請求項３０】
前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含むことを特徴とする、
請求項２８又は２９に記載の端末機器。
【請求項３１】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項２８ないし３０のいずれか一項に記載の端末機器。
【請求項３２】
前記スクランブル方式は、スクランブルコードシーケンス初期化パラメータを含むことを特徴とする、
請求項２８ないし３１のいずれか一項に記載の端末機器。
【請求項３３】
前記処理ユニットが少なくとも１つのアップリンク制御チャネルによって伝送される最大コードレートから、前記アップリンク制御チャネルを伝送する最大コードレートを決定する前に、前記端末機器は、
ネットワーク機器によって構成される前記少なくとも１つのアップリンク制御チャネルの最大コードレートを受信するように構成される受信ユニットをさらに含むことを特徴とする、
請求項２５ないし３２のいずれか一項に記載の端末機器。
【請求項３４】
前記処理ユニットは、さらに、複数種類のアップリンク制御情報にそれぞれ対応する最大コードレート内の最小値を、前記アップリンク制御チャネルを伝送する最大コードレートとして決定するように構成されることを特徴とする、
請求項２５ないし３３のいずれか一項に記載の端末機器。
【請求項３５】
前記処理ユニットは、さらに、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定するように構成されることを特徴とする、
請求項２５ないし３４のいずれか一項に記載の端末機器。
【請求項３６】
前記処理ユニットは、さらに、前記アップリンク制御チャネルを伝送する最大コードレート及び前記アップリンク制御情報の優先度に基づいて前記アップリンク制御チャネルで搬送されるアップリンク制御情報を決定するように構成されることを特徴とする、
請求項２５ないし３４のいずれか一項に記載の端末機器。
【請求項３７】
ネットワーク機器であって、
少なくとも１つのアップリンク制御チャネルの最大コードレートからアップリンク制御チャネルを伝送する最大コードレートを決定するように構成される処理ユニットを含み、
前記処理ユニットは、さらに、ネットワーク機器が前記アップリンク制御チャネルを伝送する最大コードレートに基づいて、前記アップリンク制御チャネルで搬送されるアップリンク制御情報を決定するように構成されることを特徴とする、前記ネットワーク機器。
【請求項３８】
前記処理ユニットは、さらに、前記少なくとも１つのアップリンク制御チャネルの最大コードレートから、一つのアップリンク制御チャネルを伝送する最大コードレートを決定するように構成され、前記アップリンク制御チャネルによって搬送されるすべてのアップリンク制御情報が、１つの最大コードレートに対応することを特徴とする、
請求項３７に記載のネットワーク機器。
【請求項３９】
前記処理ユニットは、さらに、前記少なくとも１つのアップリンク制御チャネルの最大コードレートから、複数のアップリンク制御チャネルを伝送する最大コードレートを決定するように構成され、前記アップリンク制御チャネルによって搬送される複数種類のアップリンク制御情報が、それぞれ複数の最大コードレートに対応することを特徴とする、
請求項３７に記載のネットワーク機器。
【請求項４０】
前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つに基づいて、決定されることを特徴とする、
請求項３７ないし３９のいずれか一項に記載のネットワーク機器。
【請求項４１】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項４０に記載のネットワーク機器。
【請求項４２】
前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含むことを特徴とする、
請求項４０又は４１に記載のネットワーク機器。
【請求項４３】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項４０ないし４２のいずれか一項に記載のネットワーク機器。
【請求項４４】
前記スクランブル方式は、スクランブルコードシーケンス初期化パラメータを含むことを特徴とする、
請求項４０ないし４３のいずれか一項に記載のネットワーク機器。
【請求項４５】
前記処理ユニットが少なくとも１つのアップリンク制御チャネルによって伝送される最大コードレートから、前記アップリンク制御チャネルを伝送する最大コードレートを決定する前に、前記処理ユニットは、さらに、前記少なくとも１つのアップリンク制御チャネルの最大コードレートを構成するように構成されることを特徴とする、
請求項３７ないし４４のいずれか一項に記載のネットワーク機器。
【請求項４６】
前記処理ユニットは、さらに、複数種類のアップリンク制御情報にそれぞれ対応する最大コードレート内の最小値を、前記アップリンク制御チャネルを伝送する最大コードレートとして決定するように構成されることを特徴とする、
請求項３７ないし４５のいずれか一項に記載のネットワーク機器。
【請求項４７】
前記処理ユニットは、さらに、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定するように構成されることを特徴とする、
請求項３７ないし４６のいずれか一項に記載のネットワーク機器。
【請求項４８】
前記処理ユニットは、さらに、前記アップリンク制御チャネルを伝送する最大コードレート及び前記アップリンク制御情報の優先度に基づいて前記アップリンク制御チャネルで搬送されるアップリンク制御情報を決定するように構成されることを特徴とする、
請求項３７ないし４６のいずれか一項に記載のネットワーク機器。
【発明の詳細な説明】
【技術分野】
【０００１】
本出願は、通信分野に関し、より具体的には、アップリンク制御チャネルの伝送方法、端末機器及びネットワーク機器に関する。
【背景技術】
【０００２】
５Ｇニューラジオ（ＮＲ：Ｎｅｗ  Ｒａｄｉｏ）通信システムにおいて、アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）の伝送リソースは、一定の範囲内で柔軟に構成されることができ、同時に、何かしらの時点で伝送する必要があるアップリンク制御情報（ＵＣＩ：Ｕｐｌｉｎｋ  Ｃｏｎｔｒｏｌ  Ｉｎｆｏｒｍａｔｉｏｎ）も動的に変化する。しかしながら、動的に変化するＵＣＩを、柔軟性が限られたＰＵＣＣＨリソースで伝送する場合、ＰＵＣＣＨの伝送コードレートが復調要求を満たすことを確保するのは困難である。例えば、極端な場合、小さいＰＵＣＣＨで複数のビットのＵＣＩを搬送するため、ＵＣＩのコードレートが１を超え、この場合、ＵＣＩは、ネットワーク機器（例えば、基地局）により正しく復調されることができない。
【０００３】
そのため、５Ｇ  ＮＲ通信システムでＵＣＩの確実な伝送方法が解決しようとする課題である。
【発明の概要】
【発明が解決しようとする課題】
【０００４】
本出願の実施例は、アップリンク制御チャネルの伝送方法、端末機器及びネットワーク機器を提供し、端末機器は、アップリンク制御チャネルを伝送する最大コードレートに基づいて、アップリンク制御チャネルで搬送されるアップリンク制御情報を決定し、また異なるアップリンク制御情報に基づいて最適化され、アップリンク制御情報の確実な伝送を確保することができる。
【課題を解決するための手段】
【０００５】
第１の態様において、本出願の実施例はアップリンク制御チャネルの伝送方法を提供し、前記アップリンク制御チャネルの伝送方法は、
端末機器は、少なくとも１つのアップリンク制御チャネルの最大コードレートからアップリンク制御チャネルを伝送する最大コードレートを決定することと、
前記端末機器は、前記アップリンク制御チャネルを伝送する最大コードレートに基づいて、前記アップリンク制御チャネルで搬送されるアップリンク制御情報を決定することとを含む。
【０００６】
そのため、本出願の実施例のアップリンク制御チャネルの伝送方法において、端末機器は、アップリンク制御チャネルを伝送する最大コードレートに基づいて、アップリンク制御チャネルで搬送されるアップリンク制御情報を決定することができ、それにより、端末機器は、１つの制御できるコードレート範囲内でアップリンク制御チャネルを伝送することができ、さらに、アップリンク制御チャネルで搬送されるアップリンク制御情報の確実な伝送が確保され、同時に、システムの伝送効率を改善することができる。
【０００７】
選択的に、第１の態様の実現方法では、前記端末機器は、少なくとも１つのアップリンク制御チャネルの最大コードレートからアップリンク制御チャネルを伝送する最大コードレートを決定することは、
前記端末機器が前記少なくとも１つのアップリンク制御チャネルの最大コードレートから、一つのアップリンク制御チャネルを伝送する最大コードレートを決定することであって、前記アップリンク制御チャネルによって搬送されるすべてのアップリンク制御情報は、１つの最大コードレートに対応することを含む。
【０００８】
そのため、本出願の実施例のアップリンク制御チャネルの伝送方法において、端末機器は、すべてのアップリンク制御情報の要求を満たす最大コードレートに基づいてアップリンク制御チャネルを伝送し、それにより、すべてのアップリンク制御情報の確実な伝送が確保されることができる。
【０００９】
選択的に、第１の態様の実現方法では、前記端末機器は、少なくとも１つのアップリンク制御チャネルの最大コードレートからアップリンク制御チャネルを伝送する最大コードレートを決定することは、
前記端末機器は、前記少なくとも１つのアップリンク制御チャネルの最大コードレートから、複数のアップリンク制御チャネルを伝送する最大コードレートを決定することであって、前記アップリンク制御チャネルによって搬送される複数種類のアップリンク制御情報は、それぞれ複数の最大コードレートに対応することを含む。
【００１０】
そのため、本出願の実施例のアップリンク制御チャネルの伝送方法において、端末機器は、それぞれに複数種類のアップリンク制御情報にそれぞれ対応する複数の最大コードレートを使用して、それぞれのアップリンク制御情報を搬送するアップリンク制御チャネルを伝送し、それにより、すべてのアップリンク制御情報の確実な伝送が確保されることができる。
【００１１】
選択的に、第１の態様の実現方法では、前記アップリンク制御チャネルを伝送する最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定される。
【００１２】
選択的に、第１の態様の実現方法では、前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含む。
【００１３】
選択的に、第１の態様の実現方法では、前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含む。
【００１４】
選択的に、第１の態様の実現方法では、前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含む。
【００１５】
選択的に、第１の態様の実現方法では、前記スクランブル方式は、スクランブルコードシーケンス初期化パラメータを含む。
【００１６】
選択的に、第１の態様の実現方法では、前記端末機器は、少なくとも１つのアップリンク制御チャネルによって伝送される最大コードレートから、前記アップリンク制御チャネルを伝送する最大コードレートを決定する前に、前記方法は、
前記端末機器は、ネットワーク機器によって構成される前記少なくとも１つのアップリンク制御チャネルの最大コードレートを受信することをさらに含む。
【００１７】
選択的に、第１の態様の実現方法では、前記端末機器は、少なくとも１つのアップリンク制御チャネルによって伝送される最大コードレートからアップリンク制御チャネルを伝送する最大コードレートを決定することは、
前記端末機器は、複数種類のアップリンク制御情報にそれぞれ対応する最大コードレート内の最小値を、前記アップリンク制御チャネルを伝送する最大コードレートとして決定することを含む。
【００１８】
選択的に、第１の態様の実現方法では、前記端末機器は、前記アップリンク制御チャネルを伝送する最大コードレートに基づいて、前記アップリンク制御チャネルで搬送されるアップリンク制御情報を決定することは、
前記端末機器は、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定することを含む。
【００１９】
選択的に、第１の態様の実現方法では、前記端末機器は、前記アップリンク制御チャネルを伝送する最大コードレートに基づいて、前記アップリンク制御チャネルで搬送されるアップリンク制御情報を決定することは、
前記端末機器は、前記アップリンク制御チャネルを伝送する最大コードレート及び前記アップリンク制御情報の優先度に基づいて、前記アップリンク制御チャネルで搬送されるアップリンク制御情報を決定することを含む。
【００２０】
第２の態様において、本出願の実施例は、アップリンク制御チャネルの伝送方法を提供し、前記アップリンク制御チャネルの伝送方法は、
ネットワーク機器は、少なくとも１つのアップリンク制御チャネルの最大コードレートからアップリンク制御チャネルを伝送する最大コードレートを決定することと、
前記ネットワーク機器は、前記アップリンク制御チャネルを伝送する最大コードレートに基づいて、前記アップリンク制御チャネルで搬送されるアップリンク制御情報を決定することとを含む。
【００２１】
そのため、本出願の実施例のアップリンク制御チャネルの伝送方法において、ネットワーク機器は、アップリンク制御チャネルを伝送する最大コードレートに基づいて、アップリンク制御チャネルで搬送されるアップリンク制御情報を決定し、それにより、端末機器は、１つの制御できるコードレート範囲内でアップリンク制御チャネルを伝送することができ、さらに、アップリンク制御チャネルで搬送されるアップリンク制御情報の確実な伝送が確保され、同時に、システムの伝送効率を改善することができる。
【００２２】
選択的に、第２の態様の実現方法では、前記ネットワーク機器は、少なくとも１つのアップリンク制御チャネルの最大コードレートからアップリンク制御チャネルを伝送する最大コードレートを決定することは、
前記ネットワーク機器は、前記少なくとも１つのアップリンク制御チャネルの最大コードレートから、一つのアップリンク制御チャネルを伝送する最大コードレートを決定することであって、前記アップリンク制御チャネルによって搬送されるすべてのアップリンク制御情報は、１つの最大コードレートに対応することを含む。
【００２３】
選択的に、第２の態様の実現方法では、前記ネットワーク機器は、少なくとも１つのアップリンク制御チャネルの最大コードレートからアップリンク制御チャネルを伝送する最大コードレートを決定することは、
前記ネットワーク機器は、前記少なくとも１つのアップリンク制御チャネルの最大コードレートから、複数のアップリンク制御チャネルを伝送する最大コードレートを決定することであって、前記アップリンク制御チャネルによって搬送される複数種類のアップリンク制御情報は、それぞれ複数の最大コードレートに対応することを含む。
【００２４】
選択的に、第２の態様の実現方法では、前記アップリンク制御チャネルを伝送する最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つに基づいて、決定される。
【００２５】
選択的に、第２の態様の実現方法では、前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含む。
【００２６】
選択的に、第２の態様の実現方法では、前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含む。
【００２７】
選択的に、第２の態様の実現方法では、前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含む。
【００２８】
選択的に、第２の態様の実現方法では、前記スクランブル方式は、スクランブルコードシーケンス初期化パラメータを含む。
【００２９】
選択的に、第２の態様の実現方法では、前記ネットワーク機器は、少なくとも１つのアップリンク制御チャネルによって伝送される最大コードレートから、前記アップリンク制御チャネルを伝送する最大コードレートを決定する前に、前記ネットワーク機器は、前記少なくとも１つのアップリンク制御チャネルの最大コードレートを構成することをさらに含む。
【００３０】
選択的に、第２の態様の実現方法では、前記ネットワーク機器は、少なくとも１つのアップリンク制御チャネルによって伝送される最大コードレートからアップリンク制御チャネルを伝送する最大コードレートを決定することは、
前記ネットワーク機器は、複数種類のアップリンク制御情報にそれぞれ対応する最大コードレート内の最小値を、前記アップリンク制御チャネルを伝送する最大コードレートとして決定することを含む。
【００３１】
選択的に、第２の態様の実現方法では、前記ネットワーク機器は、前記アップリンク制御チャネルを伝送する最大コードレートに基づいて、前記アップリンク制御チャネルで搬送されるアップリンク制御情報を決定することは、
前記ネットワーク機器は、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定することを含む。
【００３２】
選択的に、第２の態様の実現方法では、前記ネットワーク機器は、前記アップリンク制御チャネルを伝送する最大コードレートに基づいて、前記アップリンク制御チャネルで搬送されるアップリンク制御情報を決定することは、
前記ネットワーク機器は、前記アップリンク制御チャネルを伝送する最大コードレート及び前記アップリンク制御情報の優先度に基づいて前記アップリンク制御チャネルで搬送されるアップリンク制御情報を決定することを含む。
【００３３】
第３の態様において、本出願の実施例は、第１の態様又は第１の態様の任意の選択的な実現方法の方法のモジュール又はユニットを実行することができる端末機器を提供する。
【００３４】
第４の態様において、本出願の実施例は、第２の態様又は第２の態様の任意の選択的な実現方法の方法のモジュール又はユニットを実行することができるネットワーク機器を提供する。
【００３５】
第５の態様において、プロセッサ、メモリ及び通信インターフェースを含む端末機器を提供する。プロセッサは、メモリと通信インターフェースに接続される。メモリは命令を記憶するために使用され、プロセッサは、前記命令を実行するために使用され、通信インターフェースは、プロセッサの制御下で他のネットワーク要素と通信するために使用される。前記プロセッサは、前記メモリに記憶される命令を実行するとき、前記実行により、前記プロセッサに第１の態様又は第１の態様の任意の可能な実現方法の方法を実行させる。
【００３６】
第６の態様において、プロセッサ、メモリ及び通信インターフェースを含むネットワーク機器を提供する。プロセッサは、メモリと通信インターフェースに接続される。メモリは命令を記憶するために使用され、プロセッサは、前記命令を実行するために使用され、通信インターフェースは、プロセッサの制御下で他のネットワーク要素と通信するために使用される。前記プロセッサは、前記メモリに記憶される命令を実行するとき、前記実行により、前記プロセッサに第２の態様又は第２の態様の任意の可能な実現方法の方法を実行させる。
【００３７】
第７の態様において、コンピュータ記憶媒体を提供し、前記コンピュータ記憶媒体にはプログラムコードが記憶され、前記プログラムコードは、前記第１の態様又は第１の態様の任意の可能な実現方法の方法の命令を実行するようにコンピュータに指示するために使用される。
【００３８】
第８の態様において、コンピュータ記憶媒体を提供し、前記コンピュータ記憶媒体にはプログラムコードが記憶され、前記プログラムコードは、前記第２の態様又は第２の態様の任意の可能な実現方法の方法の命令を実行するようにコンピュータに指示するために使用される。
【００３９】
第９の態様において、命令を含むコンピュータプログラム製品を提供し、コンピューター上で実行されると、コンピュータに前記各態様に記載の方法を実行させる。
【図面の簡単な説明】
【００４０】
【図１】本出願の実施例に適用される無線通信システムを示す。
【図２】本出願の実施例によるアップリンク制御チャネルの伝送方法の例示的なフローチャートである。
【図３】本出願の実施例による別のアップリンク制御チャネルの伝送方法の例示的なフローチャートである。
【図４】本出願の実施例による端末機器の例示的なブロック図である。
【図５】本出願の実施例によるネットワーク機器の例示的なブロック図である。
【図６】本出願の実施例によって提供されるアップリンク制御チャネル伝送機器の例示的なブロック図である。
【図７】本出願の実施例によるシステムチップの例示的な構成図である。
【発明を実施するための形態】
【００４１】
以下、本出願の実施例の技術的解決策を本出願の実施例における図面を参照して明確かつ完全に説明する。
【００４２】
本出願の実施例の技術的解決策は、ロングタームエボリューション（ＬＴＥ：Ｌｏｎｇ  Ｔｅｒｍ  Ｅｖｏｌｕｔｉｏｎ）システム、ＬＴＥ周波数分割二重（ＦＤＤ：Ｆｒｅｑｕｅｎｃｙ  Ｄｉｖｉｓｉｏｎ  Ｄｕｐｌｅｘ）システム、ＬＴＥ時分割二重（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波アクセスのための世界的な相互運用性（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇ通信システムなどに適用することができる。
【００４３】
図１は、本出願の実施例に適用される無線通信システム１００を示す。前記無線通信システム１００は、ネットワーク機器１１０を含むことができる。ネットワーク機器１１０は、端末機器と通信する機器であってもよい。ネットワーク機器１１０は特定の地理的エリアに通信カバレッジを提供することができ、前記カバレッジエリアに位置する端末機器（例えば、ＵＥ）と通信することができる。選択的に、前記ネットワーク機器１１０は、ＧＳＭシステム又はＣＤＭＡシステムの基地局（ＢＴＳ：Ｂａｓｅ  Ｔｒａｎｓｃｅｉｖｅｒ  Ｓｔａｔｉｏｎ）であってもよく、ＷＣＤＭＡシステムの基地局（ＮＢ：ＮｏｄｅＢ）であってもよく、ＬＴＥシステムの進化型基地局（ｅＮＢ又はｅＮｏｄｅＢ：Ｅｖｏｌｕｔｉｏｎａｌ  Ｎｏｄｅ  Ｂ）であってもよく、クラウド無線アクセスネットワーク（ＣＲＡＮ：Ｃｌｏｕｄ  Ｒａｄｉｏ  Ａｃｃｅｓｓ  Ｎｅｔｗｏｒｋ）のワイヤレスコントローラであってもよく、又は前記ネットワーク機器は、リレーステーション、アクセスポイント、車載機器、ウェアラブル機器、５Ｇネットワーク中のネットワーク側機器（例えば、ｇＮＢ）又は未来進化の公衆陸上移動通信網（ＰＬＭＮ：Ｐｕｂｌｉｃ  Ｌａｎｄ  Ｍｏｂｉｌｅ  Ｎｅｔｗｏｒｋ）のネットワーク機器などであってもよい。
【００４４】
前記無線通信システム１００は、ネットワーク機器１１０のカバレッジ範囲内に位置する少なくとも１つの端末機器１２０をさらに含むことができる。端末機器１２０は、モバイルでも固定でもよい。選択的に、端末機器１２０は、アクセス端末、ユーザ機器（ＵＥ：Ｕｓｅｒ  Ｅｑｕｉｐｍｅｎｔ）、ユーザユニット、ユーザステーション、移動局、移動ステーション、遠隔局、遠隔端末、移動機器、ユーザ端末、端末、無線通信機器、ユーザエージェント又はユーザ装置を指し得る。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、ワイヤレス通信機能を備えたハンドヘルドデバイス、コンピューティングデバイス又はワイヤレスモデムに接続されたその他の処理デバイス、車載機器、ウェアラブル機器、５Ｇネットワークの端末機器又は未来進化のＰＬＭＮの端末機器などであり得る。
【００４５】
選択的に、端末機器１２０の間は端末間（Ｄ２Ｄ：Ｄｅｖｉｃｅ  ｔｏ  Ｄｅｖｉｃｅ）通信を実行してもよい。
【００４６】
選択的に、５Ｇシステム又はネットワークは、ニューラジオ（ＮＲ：Ｎｅｗ  Ｒａｄｉｏ）システム又はネットワークと呼ばれることもできる。
【００４７】
図１は、１つのネットワーク機器と２つの端末機器を例示的に示し、選択的に、前記無線通信システム１００は複数のネットワーク機器を含むことができ、また各ネットワーク機器のカバレッジ範囲内に他の数の端末機器を含むことができ、本出願の実施例はこれを限定しない。
【００４８】
選択的に、前記無線通信システム１００は、セッション管理機能（ＳＭＦ：Ｓｅｓｓｉｏｎ  Ｍａｎａｇｅｍｅｎｔ  Ｆｕｎｃｔｉｏｎ）、統合データ管理（ＵＤＭ：Ｕｎｉｆｉｅｄ  Ｄａｔａ  Ｍａｎａｇｅｍｅｎｔ）、認証サーバ機能（ＡＵＳＦ：Ａｕｔｈｅｎｔｉｃａｔｉｏｎ  Ｓｅｒｖｅｒ  Ｆｕｎｃｔｉｏｎ）など他のネットワークエンティティをさらに含むことができ、本出願の実施例はこれを限定しない。
【００４９】
本出願の実施例によって提供される無線通信の方法は、端末機器に適用することができ、前記端末機器は、ハードウェア層、ハードウェア層で実行されるオペレーティングシステム層、及びオペレーティングシステム層で実行されるアプリケーション層を含む。前記ハードウェア層は、中央処理装置（ＣＰＵ：Ｃｅｎｔｒａｌ  Ｐｒｏｃｅｓｓｉｎｇ  Ｕｎｉｔ）、メモリ管理ユニット（ＭＭＵ：Ｍｅｍｏｒｙ  Ｍａｎａｇｅｍｅｎｔ  Ｕｎｉｔ）、メモリメモリ（メインメモリとも呼ばれる）などのハードウェアが含まれる。前記オペレーティングシステムは、例えば、Ｌｉｎｕｘオペレーティングシステム、Ｕｎｉｘオペレーティングシステム、Ａｎｄｒｏｉｄオペレーティングシステム、ｉＯＳオペレーティングシステム又はｗｉｎｄｏｗｓオペレーティングシステムなど、プロセス（Ｐｒｏｃｅｓｓ）を通じてサービス処理を実現するいずれか１つ又は複数のコンピュータオペレーティングシステムであり得る。前記アプリケーション層は、ブラウザ、アドレス帳、ワードプロセッシングソフトウェア、インスタントメッセージングソフトウェアなどアプリケーションが含まれる。
【００５０】
なお、本出願の様々な態様又は特徴は、方法、装置又はプログラミング及び／又はエンジニアリング技術を使用する製造品として実現されてもよい。本出願で使用される「製造品」という用語は、任意のコンピュータ読み取り可能なデバイス、キャリア又は媒体からアクセス可能なコンピュータプログラムを含む。例えば、コンピュータ読み取り可能な媒体は、磁気記憶装置（例えば、ハードディスク、フロッピーディスク又は磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）など）、スマートカード及びフラッシュメモリデバイス（例えば、消去可能なプログラム可能な読み取り専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カート、スティック又はキードライブなど）を含むが、これらに限定されない。さらに、本明細書で説明される様々な記憶媒体は、情報を格納する１つ又は複数の機器及び／又は他の機械読み取り可能な媒体を表してもよい。「機械読み取り可能な媒体」という用語は、命令及び／又はデータを記憶、含む、及び／又は搬送する様々な媒体を含むことができるが、これらに限定されない。
【００５１】
本明細書における「システム」及び「ネットワーク」という用語は、本明細書で常に互換的に使用されることを理解されたい。本明細書における「及び／又は」という用語は、関連付けられたオブジェクトを説明する単なる関連付けであり、３種類の関係が存在することができることを示し、例えば、Ａ及び／又はＢは、Ａが独立で存在する場合、ＡとＢが同時に存在する場合、Ｂが独立で存在する場合など３つの場合を表す。さらに、本明細書における文字「／」は、一般的に、コンテキストオブジェクトが「又は」の関係であることを示す。
【００５２】
図２は、本出願の実施例によるアップリンク制御チャネルの伝送方法２００の例示的なフローチャートである。図２に示されるように、前記方法２００は、端末機器によって実行されることができ、前記端末機器は、図１に示される端末機器であってもよく、前記方法２００中のネットワーク機器は、図１に示されるネットワーク機器であってもよく、前記方法２００は、次のコンテンツを含む。
【００５３】
ステップ２１０において、端末機器は、少なくとも１つのアップリンク制御チャネルの最大コードレートからアップリンク制御チャネルを伝送する最大コードレートを決定する。
【００５４】
選択的に、アップリンク制御チャネルの最大コードレートは、アップリンク制御チャネルの伝送を制限するために使用される。
【００５５】
選択的に、前記少なくとも１つのアップリンク制御チャネルの最大コードレートは、アップリンク制御情報タイプ、アップリンク制御情報に対応するサービス、アップリンク制御チャネルのフォーマット（ＰＵＣＣＨ  Ｆｏｒｍａｔ）、アップリンク制御チャネルのリソース構成（ＰＵＣＣＨ  ｒｅｓｏｕｒｃｅ  ｃｏｎｆｉｇｕｒａｔｉｏｎ）、アップリンク制御情報の対応するデータのスクランブル方式及びアップリンク制御情報の対応するデータに対応するダウンリンク制御チャネルの構成のうちの少なくとも一つに関連する。
【００５６】
例えば、前記アップリンク制御チャネルを伝送する最大コードレートは、アップリンク制御情報タイプ、アップリンク制御情報に対応するサービス、アップリンク制御チャネルのフォーマット（ＰＵＣＣＨ  Ｆｏｒｍａｔ）、アップリンク制御チャネルのリソース構成（ＰＵＣＣＨ  ｒｅｓｏｕｒｃｅ  ｃｏｎｆｉｇｕｒａｔｉｏｎ）、アップリンク制御情報の対応するデータのスクランブル方式及びアップリンク制御情報の対応するデータに対応するダウンリンク制御チャネルの構成のうちの少なくとも一つによって決定される。
【００５７】
選択的に、前記アップリンク制御情報タイプは、混合自動再送要求（ＨＡＲＱ：Ｈｙｂｒｉｄ  Ａｕｔｏ  Ｒｅｐｅａｔ  Ｒｅｑｕｅｓｔ）フィードバック情報の肯定応答キャラクター（ＡＣＫ：ＡＣＫｎｏｗｌｅｄｇｅ  Ｃｈａｒａｃｔｅｒ）／否定応答キャラクター（ＮＡＣＫ：Ｎｏｎ−ＡＣＫｎｏｗｌｅｄｇｅ  Ｃｈａｒａｃｔｅｒ）、チャネル状態情報（ＣＳＩ：Ｃｈａｎｎｅｌ  Ｓｔａｔｅ  Ｉｎｆｏｒｍａｔｉｏｎ）、サービス要求（ＳＲ：Ｓｅｒｖｉｃｅ  Ｒｅｑｕｅｓｔ）のうちの少なくとも一つであり得る。
【００５８】
選択的に、前記アップリンク制御情報に対応するサービスは、超高信頼・低遅延（ＵＲＬＬＣ：Ｕｌｔｒａ−Ｒｅｌｉａｂｌｅ  ａｎｄ  Ｌｏｗ−Ｌａｔｅｎｃｙ  Ｃｏｍｍｕｎｉｃａｔｉｏｎｓ）、高度化モバイルブロードバンド（ｅＭＢＢ：Ｅｎｈａｎｃｅｄ  ｍｏｂｉｌｅ  ｂｒｏａｄｂａｎｄ）、大規模マシンタイプ通信（ｍＭＴＣ：Ｍａｓｓｉｖｅ  Ｍａｃｈｉｎｅ  Ｔｙｐｅ  ｏｆ  Ｃｏｍｍｕｎｉｃａｔｉｏｎ）のうちの少なくとも一つであり得る。
【００５９】
選択的に、同じサービスタイプのＵＣＩの優先度順位は、ＳＲ／ＡＣＫ／ＮＡＣＫ＞ＣＳＩであり得る。
【００６０】
ＳＲ、ＡＣＫ、ＮＡＣＫは同じ優先度レベルを有することを理解されたい。
【００６１】
選択的に、ＣＳＩは、ランクインジケータ（ＲＩ：Ｒａｎｋ  Ｉｎｄｉｃａｔｉｏｎ）、プリコーディングマトリックスインジケータ（ＰＭＩ：Ｐｒｅｃｏｄｉｎｇ  Ｍａｔｒｉｘ  Ｉｎｄｉｃａｔｏｒ）及びチャネル品質インジケータ（ＣＱＩ：Ｃｈａｎｎｅｌ  Ｑｕａｌｉｔｙ  Ｉｎｄｉｃａｔｏｒ）を含むことができる。
【００６２】
選択的に、ＣＳＩは、ＲＩ、ＣＱＩ、ＰＭＩのうちの１つ又は複数であり得る。
【００６３】
選択的に、ＣＳＩは、非周期的なＣＳＩ（Ａ−ＣＳＩ：Ａｐｅｒｉｏｄｉｃ  ＣＳＩ）、半永続的なＣＳＩ（Ｓ−ＣＳＩ：Ｓｅｍｉ−ｐｅｒｓｉｓｔｅｎｔ  ＣＳＩ）及び周期的なＣＳＩ（Ｐ−ＣＳＩ：Ｐｅｒｉｏｄｉｃ  ＣＳＩ）であり得る。
【００６４】
選択的に、ＣＳＩは、広帯域情報及び狭帯域情報を含むことができる。
【００６５】
選択的に、次の３つの原則により、ＣＳＩの内部で優先順位をつけることができる。
【００６６】
原則１：ＲＩ＞ＰＭＩ＞ＣＱＩ
原則２：広帯域情報＞狭帯域情報
原則３：非周期的は、周期的より高い。
【００６７】
選択的に、複数のサービスタイプの同じＵＣＩ情報の優先度順位は、ＵＲＬＬＣ＞ｅＭＢＢ＞ｍＭＴＣであり得る。
【００６８】
選択的に、複数のサービスタイプの複数のＵＣＩ情報の優先度順位は、次の原則によりその優先度を決定することができる。
【００６９】
原則１：サービス優先度で優先する。
【００７０】
原則１．１：優先度順位は、まずサービスタイプとアップリンク制御情報タイプを基準とする。ここで、周期的なアップリンク制御情報の優先度は低い。
【００７１】
具体的には、次の通りである。
【００７２】
ＵＲＬＬＣ  ＳＲ／ＡＣＫ／ＮＡＣＫ＞ＵＲＬＬＣ  Ａ−ＣＳＩ＞ｅＭＢＢ  ＳＲ／ＡＣＫ／ＮＡＣＫ＞ｅＭＢＢ  Ａ−ＣＳＩ＞ＵＲＬＬＣ  Ｓ−ＣＳＩ／Ｐ−ＣＳＩ＞ｅＭＢＢ  Ｓ−ＣＳＩ／Ｐ−ＣＳＩ
原則１．２：優先度順位は、まずサービスタイプを基準とする。
【００７３】
具体的には、次の通りである。
【００７４】
ＵＲＬＬＣ  ＳＲ／ＡＣＫ／ＮＡＣＫ＞ＵＲＬＬＣ  Ａ−ＣＳＩ＞ＵＲＬＬＣ  Ｓ−ＣＳＩ／Ｐ−ＣＳＩ＞ｅＭＢＢ  ＳＲ／ＡＣＫ／ＮＡＣＫ＞ｅＭＢＢ  Ａ−ＣＳＩ＞ｅＭＢＢ  Ｓ−ＣＳＩ／Ｐ−ＣＳＩ
選択的に、前記優先度情報は、ネットワーク機器（例えば、基地局）によって構成されたものであってもよい。
【００７５】
選択的に、前記ダウンリンク制御チャネルの構成は、ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット（ＣＯＲＥＳＥＴ）、ダウンリンク制御チャネルの集約レベル、ダウンリンク制御チャネルのフォーマットのうちの少なくとも１つであってもよい。
【００７６】
ここで、前記ダウンリンク制御チャネルの構成は、アップリンク制御情報の対応するデータに対応するダウンリンク制御チャネルの構成であってもよい。例えば、端末機器は、アップリンク制御情報を介してデータＢの受信状態をフィードバックし、このとき、ダウンリンク制御チャネルの構成は、データＢを指し示すダウンリンク制御情報Ｃを搬送するダウンリンク制御チャネルの構成情報であってもよい。
【００７７】
選択的に、前記データのスクランブル情報は、スクランブルコードシーケンス初期化パラメータであり得る。
【００７８】
選択的に、前記少なくとも１つの最大コードレートは、ネットワーク機器によって動的に構成されてもよく、例えば、ネットワーク機器は構成情報を端末機器に送信し、それにより、前記少なくとも１つの最大コードレートを構成する。
【００７９】
選択的に、ネットワーク機器は、１つ種類のダウンリンク制御チャネルに対して１つ又は複数の最大コードレートを構成してもよい。
【００８０】
例えば、１つのダウンリンク制御チャネルに対して、ＡＣＫ／ＮＡＣＫ及びＣＳＩフィードバックにそれぞれ対応する２つの最大コードレートを構成する。
【００８１】
１つのダウンリンク制御チャネルに対して、ＵＲＬＬＣサービス及びｅＭＢＢサービスにそれぞれ対応する２つの最大コードレートを構成する。
【００８２】
１つのダウンリンク制御チャネルに対して、データスクランブル方式１及びデータスクランブル方式２にそれぞれ対応する２つの最大コードレートを構成する。
【００８３】
１つのダウンリンク制御チャネルに対して、ＰＵＣＣＨ  ｆｏｒｍａｔ２、ＰＵＣＣＨ  ｆｏｒｍａｔ３、ＰＵＣＣＨ  ｆｏｒｍａｔ４にそれぞれ対応する３つの最大コードレートを構成する。
【００８４】
１つのダウンリンク制御チャネルに対して、ＰＵＣＣＨ  ｒｅｓｏｒｕｃｅ１、ＰＵＣＣＨ  ｒｅｓｏｕｒｃｅ２にそれぞれ対応する３つの最大コードレートを構成する。
【００８５】
選択的に、前記少なくとも１つの最大コードレートは、ネットワーク機器がＰＵＣＣＨ  ｆｏｒｍａｔに基づいて構成されたものであってもよく、例えば、ネットワーク機器がＰＵＣＣＨ  ｆｏｒｍａｔ２、３、４に対して最大コードレートをそれぞれ構成する。選択的に、異なるＰＵＣＣＨ  ｆｏｒｍａｔは、同じ最大コードレートを構成してもよく、異なる最大コードレートを構成してもよい。
【００８６】
選択的に、ＰＵＣＣＨ  ｆｏｒｍａｔ構成に基づいて前記少なくとも１つの最大コードレートを事前に構成し、例えば、ＰＵＣＣＨ  ｆｏｒｍａｔ２、３、４に対して１つ又は複数の最大コードレートをそれぞれ構成する。選択的に、異なるＰＵＣＣＨ  ｆｏｒｍａｔは、同じ最大コードレートを構成してもよく、異なる最大コードレートを構成してもよい。
【００８７】
例えば、ＰＵＣＣＨ  ｆｏｒｍａｔ２に対して、ＰＵＣＣＨ  ｆｏｒｍａｔ２のアップリンク制御情報タイプＣＳＩ及びＡＣＫ／ＮＡＣＫにそれぞれ対応する２つの最大コードレートを構成する。
【００８８】
ＰＵＣＣＨ  ｆｏｒｍａｔ２でのＣＳＩ及びＡＣＫ／ＮＡＣＫは単なる例示に過ぎず、他のダウンリンク制御チャネルの構成又はサービスタイプ及び／又はデータスクランブル方式に対応することができ、本出願はこれを限定しないことを理解されたい。
【００８９】
選択的に、複数の最大コードレートは、複数種類のアップリンク制御情報タイプ及び／又は複数のサービスタイプ及び／又は複数のダウンリンク制御チャネルの構成及び／又は複数のデータのスクランブル方式にそれぞれ対応することができる。
【００９０】
選択的に、前記少なくとも１つの最大コードレートは、ネットワーク機器がＰＵＣＣＨ  ｒｅｓｏｕｒｃｅに基づいて前記少なくとも１つの最大コードレートを構成するものであってもよく、例えば、ネットワーク機器は、ＰＵＣＣＨ  ｒｅｓｏｕｒｃｅ１、ＰＵＣＣＨ  ｒｅｓｏｕｒｃｅ２に対して１つ又は複数の最大コードレートをそれぞれ事前に構成する。
【００９１】
選択的に、ＰＵＣＣＨ  ｒｅｓｏｕｒｃｅ構成に基づいて前記少なくとも１つの最大コードレートを事前に構成し、例えば、ＰＵＣＣＨ  ｒｅｓｏｕｒｃｅ１、ＰＵＣＣＨ  ｒｅｓｏｕｒｃｅ２に対して１つ又は複数の最大コードレートをそれぞれ事前に構成する。
【００９２】
例えば、ＰＵＣＣＨ  ｒｅｓｏｕｒｃｅ１に対して、ＰＵＣＣＨ  ｒｅｓｏｕｒｃｅ１でのダウンリンク制御情報タイプＣＳＩ及びＡＣＫ／ＮＡＣＫにそれぞれ対応する２つの最大コードレートを構成する。
【００９３】
ＰＵＣＣＨ  ｒｅｓｏｕｒｃｅ１でのＣＳＩ及びＡＣＫ／ＮＡＣＫは、単なる例示に過ぎず、他のダウンリンク制御チャネルの構成又はサービスタイプ及び／又はデータスクランブル方式に対応することができ、本出願はこれを限定しないことを理解されたい。
【００９４】
選択的に、前記少なくとも１つの最大コードレートを直接事前に構成してもよい。
【００９５】
選択的に、ネットワーク機器が前記少なくとも１つのアップリンク制御チャネルの最大コードレートを構成する場合、前記端末機器が少なくとも１つのアップリンク制御チャネルによって伝送される最大コードレートから、前記アップリンク制御チャネルを伝送する最大コードレートを決定する前に、前記方法２００は、
前記端末機器は、ネットワーク機器によって構成される前記少なくとも１つの最大コードレートを受信することをさらに含む。
【００９６】
選択的に、複数種類のアップリンク制御情報の各アップリンク制御情報に対して１つの最大コードレートを構成することであり得る。
【００９７】
選択的に、前記複数種類のアップリンク制御情報は、複数のタイプのアップリンク制御情報であってもよく、複数のサービスのアップリンク制御情報であってもよく、複数のダウンリンク制御チャネルの構成に対応するアップリンク制御情報であってもよく、複数のデータをスクランブルしたデータに対応するアップリンク制御情報であってもよい。
【００９８】
選択的に、前記端末機器は、複数種類のアップリンク制御情報にそれぞれ対応する最大コードレート内の最小値を、前記アップリンク制御チャネルを伝送する最大コードレートとして決定する。
【００９９】
ステップ２２０において、前記端末機器は、前記アップリンク制御チャネルを伝送する最大コードレートに基づいて、前記アップリンク制御チャネルで搬送されるアップリンク制御情報を決定する。
【０１００】
選択的に、前記端末機器は、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定する。
【０１０１】
選択的に、前記端末機器は、前記アップリンク制御チャネルを伝送する最大コードレート及び前記アップリンク制御情報の優先度に基づいて前記アップリンク制御チャネルで搬送されるアップリンク制御情報を決定する。
【０１０２】
そのため、本出願の実施例のアップリンク制御チャネルの伝送方法において、端末機器は、アップリンク制御チャネルを伝送する最大コードレートに基づいて、アップリンク制御チャネルで搬送されるアップリンク制御情報を決定することができ、それにより、端末機器は、１つの制御できるコードレート範囲内でアップリンク制御チャネルを伝送することができ、さらに、アップリンク制御チャネルで搬送されるアップリンク制御情報の確実な伝送が確保され、同時に、システムの伝送効率を改善することができる。
【０１０３】
図３は、本出願の実施例によるアップリンク制御チャネルの伝送方法３００の例示的なフローチャートである。図３に示されるように、前記方法３００は、ネットワーク機器によって実行されてもよく、前記ネットワーク機器は、図１に示されるネットワーク機器であってもよく、前記方法３００の端末機器は、図１に示される端末機器であってもよく、前記方法３００は、次のコンテンツを含む。
【０１０４】
ステップ３１０において、ネットワーク機器は、少なくとも１つのアップリンク制御チャネルの最大コードレートからアップリンク制御チャネルを伝送する最大コードレートを決定する。
【０１０５】
ステップ３２０において、前記ネットワーク機器は、前記アップリンク制御チャネルを伝送する最大コードレートに基づいて、前記アップリンク制御チャネルで搬送されるアップリンク制御情報を決定する。
【０１０６】
選択的に、前記ネットワーク機器は、少なくとも１つのアップリンク制御チャネルの最大コードレートからアップリンク制御チャネルを伝送する最大コードレートを決定することは、
前記ネットワーク機器は、前記少なくとも１つのアップリンク制御チャネルの最大コードレートから、一つのアップリンク制御チャネルを伝送する最大コードレートを決定することであって、前記アップリンク制御チャネルによって搬送されるすべてのアップリンク制御情報は、１つの最大コードレートに対応することを含む。
【０１０７】
選択的に、前記ネットワーク機器は、少なくとも１つのアップリンク制御チャネルの最大コードレートからアップリンク制御チャネルを伝送する最大コードレートを決定することは、
前記ネットワーク機器は、前記少なくとも１つのアップリンク制御チャネルの最大コードレートから、複数のアップリンク制御チャネルを伝送する最大コードレートを決定することであって、前記アップリンク制御チャネルによって搬送される複数種類のアップリンク制御情報は、それぞれ複数の最大コードレートに対応することを含む。
【０１０８】
選択的に、前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定される。
【０１０９】
選択的に、前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含む。
【０１１０】
選択的に、前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含む。
【０１１１】
選択的に、前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含む。
【０１１２】
選択的に、前記スクランブル方式は、スクランブルコードシーケンス初期化パラメータを含む。
【０１１３】
選択的に、前記ネットワーク機器は、少なくとも１つのアップリンク制御チャネルによって伝送される最大コードレートから、前記アップリンク制御チャネルを伝送する最大コードレートを決定する前に、前記ネットワーク機器は、前記少なくとも１つのアップリンク制御チャネルの最大コードレートを構成する。
【０１１４】
選択的に、前記ネットワーク機器は、少なくとも１つのアップリンク制御チャネルによって伝送される最大コードレートからアップリンク制御チャネルを伝送する最大コードレートを決定することは、
前記ネットワーク機器は、複数種類のアップリンク制御情報にそれぞれ対応する最大コードレート内の最小値を、前記アップリンク制御チャネルを伝送する最大コードレートとして決定することを含む。
【０１１５】
選択的に、前記ネットワーク機器は、前記アップリンク制御チャネルを伝送する最大コードレートに基づいて、前記アップリンク制御チャネルで搬送されるアップリンク制御情報を決定することは、
前記ネットワーク機器は、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定することを含む。
【０１１６】
選択的に、前記ネットワーク機器は、前記アップリンク制御チャネルを伝送する最大コードレートに基づいて、前記アップリンク制御チャネルで搬送されるアップリンク制御情報を決定することは、
前記ネットワーク機器は、前記アップリンク制御チャネルを伝送する最大コードレート及び前記アップリンク制御情報の優先度に基づいて前記アップリンク制御チャネルで搬送されるアップリンク制御情報を決定することを含む。
【０１１７】
アップリンク制御チャネルの伝送方法３００のステップは、アップリンク制御チャネルの伝送方法２００の対応するステップの説明を参照することができることを理解されたい。簡潔にするために、詳細はここでは再度説明しない。
【０１１８】
そのため、本出願の実施例のアップリンク制御チャネルの伝送方法において、ネットワーク機器は、アップリンク制御チャネルを伝送する最大コードレートに基づいて、アップリンク制御チャネルで搬送されるアップリンク制御情報を決定することができ、それにより、端末機器は、１つの制御できるコードレート範囲内でアップリンク制御チャネルを伝送することができ、さらに、アップリンク制御チャネルで搬送されるアップリンク制御情報の確実な伝送が確保され、同時に、システムの伝送効率を改善することができる。
【０１１９】
選択的に、一実施例として、ネットワーク機器は、２つのアップリンク制御チャネルの最大コードレートを構成し、Ｒｍａｘ１及びＲｍａｘ２としてそれぞれ表記し、且つＲｍａｘ１及びＲｍａｘ２はＵＲＬＬＣ及びｅＭＢＢサービスにそれぞれ対応する。
【０１２０】
選択的に、ネットワーク機器は、２つのアップリンク制御チャネルの最大コードレートを構成する。
【０１２１】
選択的に、ネットワーク機器は、ＰＵＣＣＨ  ｆｏｒｍａｔに基づいて２つのアップリンク制御チャネルの最大コードレートを構成する。
【０１２２】
選択的に、ネットワーク機器は、ＰＵＣＣＨ  ｒｅｓｏｕｒｃｅに基づいて２つのアップリンク制御チャネルの最大コードレートを構成する。
【０１２３】
選択的に、ネットワーク機器は、アップリンク制御情報の対応するデータのスクランブル情報に基づいて２つのアップリンク制御チャネルの最大コードレートをそれぞれ構成する。
【０１２４】
選択的に、ネットワーク機器は、アップリンク制御情報の対応するデータに対応するダウンリンク制御チャネルの構成に基づいて、２つのアップリンク制御チャネルの最大コードレートをそれぞれ構成する。
【０１２５】
端末機器がＵＣＩをフィードバックする場合、フィードバックしようとするＵＣＩ、ＵＣＩに対応するサービスに対応する最大コードレート、及びＰＵＣＣＨリソースに基づいて、ＰＵＣＣＨによって搬送されるＵＣＩ及びエンコード方式を決定する。
【０１２６】
１）具体的に、端末機器は、Ｎビット（ｂｉｔ）のＡＣＫ／ＮＡＣＫをフィードバックする必要があり、且つ当該Ｎ  ｂｉｔのＡＣＫ／ＮＡＣＫは、すべてＵＲＬＬＣサービスに対するものである。同時に、Ｍ  ｂｉｔを搬送することができるＰＵＣＣＨリソースを構成しており、ここで、Ｎは０より大きい正の整数であり、Ｍは、０より大きい正の整数である。
【０１２７】
選択的に、ネットワーク機器は、端末機器に対してＭ  ｂｉｔを搬送することができるＰＵＣＣＨリソースを構成している。
【０１２８】
選択的に、Ｍ  ｂｉｔを搬送することができるＰＵＣＣＨリソースを事前に構成する。
【０１２９】
Ｎ／Ｍは、即ち、端末機器がＵＣＩを搬送するＰＵＣＣＨを伝送する、プリセットされたコードレートである。
【０１３０】
Ｎ／Ｍ＜＝Ｒｍａｘ１である場合、端末機器は、Ｒｍａｘ１より小さい又は等しいコードレートを使用してＮ  ｂｉｔのＡＣＫ／ＮＡＣＫをエンコードして伝送する。
【０１３１】
Ｎ／Ｍ＞Ｒｍａｘ１である場合、端末機器は、ＡＣＫ／ＮＡＣＫ圧縮方式（例えば、ＡＣＫ／ＮＡＣＫ圧縮パケット（ｂｕｎｄｌｉｎｇ）、又はＡＣＫ／ＮＡＣＫ圧縮多重化（ｍｕｌｔｉｐｌｅｘｉｎｇ））及び／又はＡＣＫ／ＮＡＣＫ廃棄方式（例えば、廃棄の原則は、サービスの時間周波数ドメインの順に基づいて決定し、先着したものの優先度を高くし、優先度の高いものは廃棄しないことであり得る）を使用してエンコードして伝送する。
【０１３２】
２）具体的に、端末機器は、Ｎ  ｂｉｔのＡＣＫ／ＮＡＣＫをフィードバックする必要があり、且つ当該Ｎ  ｂｉｔのＡＣＫ／ＮＡＣＫはすべてｅＭＢＢに対するものである。同時に、Ｍ  ｂｉｔを搬送することができるＰＵＣＣＨリソースを構成している。
【０１３３】
Ｎ／Ｍ＜＝Ｒｍａｘ２である場合、端末機器は、Ｒｍａｘ２より小さい又は等しいコードレートを使用してＮ  ｂｉｔのＡＣＫ／ＮＡＣＫをエンコードして伝送する。
【０１３４】
Ｎ／Ｍ＞Ｒｍａｘ２である場合、端末機器は、ＡＣＫ／ＮＡＣＫ圧縮方式（例えば、ＡＣＫ／ＮＡＣＫ  ｂｕｎｄｌｉｎｇ、又はＡＣＫ／ＮＡＣＫ  ｍｕｌｔｉｐｌｅｘｉｎｇ）及び／又はＡＣＫ／ＮＡＣＫ廃棄方式（例えば、廃棄の原則は、サービスの時間周波数ドメインの順に基づいて決定することであり得、先着したものの優先順位を高くし、優先度の高いものは廃棄しないことであり得る）を使用してエンコードして伝送する。
【０１３５】
選択的に、ｅＭＢＢサービスのみをフィードバックしようとする場合、最小コードレート要求を参照する必要がない（この場合の最小コードレートは、複数の最大コードレートの最小値である）。
【０１３６】
３）具体的に、端末機器は、Ｎ  ｂｉｔのＡＣＫ／ＮＡＣＫをフィードバックする必要があり、且つ当該Ｎ  ｂｉｔのＡＣＫ／ＮＡＣＫは、Ｎ１  ｂｉｔのＵＲＬＬＣに対するＡＣＫ／ＮＡＣＫ、及びＮ２  ｂｉｔのｅＭＢＢに対するＡＣＫ／ＮＡＣＫを含む。同時に、Ｍ  ｂｉｔを搬送することができるＰＵＣＣＨリソースを構成しており、ここで、Ｒｍａｘ１＜Ｒｍａｘ２である。
【０１３７】
具体的に、次の２つの方法によって伝送することができる。
【０１３８】
方式１
Ｎ／Ｍ＜＝Ｒｍａｘ１である場合、端末機器は、Ｒｍａｘ１より小さい又は等しいコードレートを使用して、Ｎ  ｂｉｔのすべてのＡＣＫ／ＮＡＣＫをエンコードして伝送する。
【０１３９】
Ｎ／Ｍ＞Ｒｍａｘ１である場合、端末機器は、一部又はすべてのＡＣＫ／ＮＡＣＫ圧縮方式（例えば、一部のＡＣＫ／ＮＡＣＫ圧縮方式とは、ＵＲＬＬＣに関するＮ１  ｂｉｔのＡＣＫ／ＮＡＣＫを圧縮することがなく、ｅＭＢＢに関するＮ２  ｂｉｔのＡＣＫ／ＮＡＣＫを圧縮することを指す）及び／又はＡＣＫ／ＮＡＣＫ廃棄方式（例えば、廃棄の原則は、サービスの優先度の順に基づいて決定し、ＵＲＬＬＣ優先度がｅＭＢＢ優先度より大きく、優先度の高いものは廃棄しないことであり得る）を使用してエンコードして伝送する。
【０１４０】
方式２
Ｎ１×Ｒｍａｘ１＋Ｎ２×Ｒｍａｘ１＜＝Ｍである場合、端末機器は、Ｒｍａｘ１より小さい又は等しいコードレートを使用してＮ  ｂｉｔのＡＣＫ／ＮＡＣＫをエンコードして伝送する。
【０１４１】
Ｎ１×Ｒｍａｘ１＋Ｎ２×Ｒｍａｘ２＜＝Ｍであり、且つＮ１×Ｒｍａｘ１＋Ｎ２×Ｒｍａｘ１＞Ｍである場合、端末機器は、Ｒｍａｘ１より小さい又は等しいコードレートを使用してＮ１  ｂｉｔのＡＣＫ／ＮＡＣＫをエンコード伝送し、Ｒｍａｘ２より小さい又は等しいコードレートを使用してＮ２  ｂｉｔのＡＣＫ／ＮＡＣＫをエンコードして伝送する。
【０１４２】
Ｎ１×Ｒｍａｘ１＋Ｎ２×  Ｒｍａｘ２＞Ｍである場合、端末機器は、一部又はすべてのＡＣＫ／ＮＡＣＫ圧縮方式（例えば、一部のＡＣＫ／ＮＡＣＫ圧縮方式は、ＵＲＬＬＣに関するＮ１  ｂｉｔのＡＣＫ／ＮＡＣＫを圧縮することがなく、ｅＭＢＢに関するＮ２  ｂｉｔのＡＣＫ／ＮＡＣＫを圧縮することを指す）及び／又はＡＣＫ／ＮＡＣＫ廃棄方式（例えば、廃棄の原則は、サービスの優先度の順に基づいて決定し、ＵＲＬＬＣ優先度がｅＭＢＢ優先度より大きく、優先度の高いものは廃棄しないことであり得る）を使用してエンコードして伝送する。
【０１４３】
選択的に、ＵＲＬＬＣ優先度がｅＭＢＢ優先度より大きいことは、事前に構成された、又は事前に合意されたものであってもよい。
【０１４４】
選択的に、一実施例として、ネットワーク機器は、２つのアップリンク制御チャネルの最大コードレートを構成しており、それぞれにＲｍａｘ１とＲｍａｘ２として表記し、且つＲｍａｘ１とＲｍａｘ２は、それぞれにＡＣＫ／ＮＡＣＫとＣＳＩサービスに対応する。
【０１４５】
選択的に、ネットワーク機器は、２つのアップリンク制御チャネルの最大コードレートを動的に構成する。
【０１４６】
選択的に、ネットワーク機器は、ＰＵＣＣＨ  ｆｏｒｍａｔに基づいて２つのアップリンク制御チャネルの最大コードレートを構成する。
【０１４７】
選択的に、ネットワーク機器は、ＰＵＣＣＨ  ｒｅｓｏｕｒｃｅ  ｓｅｔに基づいて２つのアップリンク制御チャネルの最大コードレートを構成する。
【０１４８】
端末機器がＵＣＩをフィードバックする際に、フィードバックしようとするＵＣＩ、ＵＣＩに対応するサービスに対応する最大コードレート、及びＰＵＣＣＨリソースに基づいて、ＰＵＣＣＨによって搬送されるＵＣＩ及びエンコード方式を決定する。
【０１４９】
１）具体的に、端末機器は、Ｎ  ｂｉｔのＵＣＩをフィードバックする必要があり、且つ当該Ｎ  ｂｉｔのＡＣＫ／ＮＡＣＫは、Ｎ１  ｂｉｔのＡＣＫ／ＮＡＣＫ及びＮ２  ｂｉｔのＣＳＩを含み、同時に、Ｍ  ｂｉｔを搬送することができるＰＵＣＣＨリソースを構成し、ここで、Ｒｍａｘ１＜Ｒｍａｘ２である。
【０１５０】
具体的に、次の２つの方法によって伝送することができる。
【０１５１】
方式１
Ｎ／Ｍ＜＝Ｒｍａｘ１である場合、端末機器は、すべてのＮ  ｂｉｔ  ＵＣＩをＲｍａｘ１より小さい又は等しいコードレートを使用してエンコードして伝送する。
【０１５２】
Ｎ／Ｍ＞Ｒｍａｘ１である場合、端末機器は、一部又はすべてのＵＣＩ圧縮方式（例えば、一部のＵＣＩ圧縮方式は、ＡＣＫ／ＮＡＣＫに関するＮ１  ｂｉｔを圧縮することがなく、ＣＳＩに関するＮ２  ｂｉｔを圧縮することを指す）及び／又はＵＣＩ廃棄方式（例えば、廃棄の原則は、サービスの優先度の順に基づいて決定し、ＡＣＫ／ＮＡＣＫ優先度がＣＳＩ優先度より大きく、優先度の高いものは廃棄しないことであり得る）を使用してエンコードして伝送する。
【０１５３】
方式２
Ｎ１×Ｒｍａｘ１＋Ｎ２×Ｒｍａｘ１＜＝Ｍである場合、端末機器は、すべてのＮ  ｂｉｔのＵＣＩをＲｍａｘ１より小さい又は等しいコードレートを使用してエンコードして伝送する。
【０１５４】
Ｎ１×Ｒｍａｘ１＋Ｎ２×Ｒｍａｘ２＜＝Ｍであり、且つＮ１×Ｒｍａｘ１＋Ｎ２×Ｒｍａｘ１＞Ｍである場合、端末機器は、Ｎ１  ｂｉｔのＡＣＫ／ＮＡＣＫをＲｍａｘ１より小さい又は等しいコードレートを使用してエンコードして伝送し、Ｎ２  ｂｉｔのＣＳＩをＲｍａｘ２より小さい又は等しいコードレートを使用してエンコードして伝送する。
【０１５５】
Ｎ１×Ｒｍａｘ１＋Ｎ２×Ｒｍａｘ２＞Ｍである場合、端末機器は、一部又はすべてのＵＣＩ圧縮方式（例えば、一部のＵＣＩ圧縮方式は、ＡＣＫ／ＮＡＣＫに関するＮ１  ｂｉｔを圧縮することがなく、ＣＳＩに関するＮ２  ｂｉｔを圧縮することを指す）及び／又はＵＣＩ廃棄方式（例えば、廃棄の原則は、サービスの優先度の順に基づいて決定し、ＡＣＫ／ＮＡＣＫ優先度がＣＳＩ優先度より大きく、優先度の高いものは廃棄しないことであり得る）を使用してエンコードして伝送する。
【０１５６】
選択的に、ＡＣＫ／ＮＡＣＫ優先度がＣＳＩ優先度より大きいことは、事前に構成された、又は事前に合意されたものであってもよい。
【０１５７】
選択的に、一実施例として、ネットワーク機器が４つのアップリンク制御チャネルの最大コードレートを構成し、それぞれＲｍａｘ１  Ｒｍａｘ２  Ｒｍａｘ３及びＲｍａｘ４として表記し、Ｒｍａｘ１  Ｒｍａｘ２  Ｒｍａｘ３及びＲｍａｘ４は、ＵＲＬＬＣ  ＡＣＫ／ＮＡＣＫ、ｅＭＢＢ  ＡＣＫ／ＮＡＣＫ、ＵＲＬＬＣ  ＣＳＩ及びｅＭＢＢ  ＣＳＩサービスにそれぞれ対応する。
【０１５８】
選択的に、ネットワーク機器は、４つのアップリンク制御チャネルの最大コードレートを動的に構成する。
【０１５９】
選択的に、ネットワーク機器は、ＰＵＣＣＨ  ｆｏｒｍａｔに基づいて４つのアップリンク制御チャネルの最大コードレートを構成する。
【０１６０】
選択的に、ネットワーク機器は、ＰＵＣＣＨ  ｒｅｓｏｕｒｃｅに基づいて４つのアップリンク制御チャネルの最大コードレートを構成する。
【０１６１】
端末機器がＵＣＩをフィードバックする場合、フィードバックしようとするＵＣＩ、ＵＣＩに対応するサービスに対応する最大コードレート、及びＰＵＣＣＨリソースに基づいて、ＰＵＣＣＨによって搬送されるＵＣＩ及びエンコード方式を決定する。
【０１６２】
具体的に、端末機器は、Ｎ  ｂｉｔのＵＣＩをフィードバックする必要があり、且つ当該Ｎ  ｂｉｔのＵＣＩは、ＡＣＫ／ＮＡＣＫ及びＣＳＩを含むだけでなく、ＵＲＬＬＣ及びｅＭＢＢにも対応する。端末機器は、一部又はすべてのＵＣＩ圧縮方式（例えば、圧縮的原則は、高優先度の非圧縮と低優先度の圧縮であり、上記のサービスの優先度順位は、ＵＲＬＬＣ  ＡＣＫ／ＮＡＣＫ＞ｅＭＢＢ  ＡＣＫ／ＮＡＣＫ＞ＵＲＬＬＣ  ＣＳＩ＞ｅＭＢＢ  ＣＳＩであり得る）及び／又はＵＣＩ廃棄方式（例えば、廃棄の原則は、サービスの優先度の順に基づいて決定することであり得、上記のサービスの優先度順位は、ＵＲＬＬＣ  ＡＣＫ／ＮＡＣＫ＞ｅＭＢＢ  ＡＣＫ／ＮＡＣＫ＞ＵＲＬＬＣ  ＣＳＩ＞ｅＭＢＢ  ＣＳＩであってもよく、優先度の高いものは廃棄しない）を使用してエンコードして伝送する。
【０１６３】
選択的に、上記のＵＲＬＬＣ  ＡＣＫ／ＮＡＣＫ＞ｅＭＢＢ  ＡＣＫ／ＮＡＣＫ＞ＵＲＬＬＣ  ＣＳＩ＞ｅＭＢＢ  ＣＳＩであるサービスの優先度順位は、事前に構成、又は合意されたのものであってもよい。
【０１６４】
選択的に、上記の３つの選択的な実施例において、ネットワーク機器は、アップリンク制御チャネルの最大コードレートを直接に構成するが、もちろん、アップリンク制御チャネルの最大コードレートは、プロトコルによって合意されたものであってもよい。
【０１６５】
図４は、本出願の実施例による端末機器４００の例示的なブロック図である。図４に示されるように、前記端末機器４００は、
少なくとも１つのアップリンク制御チャネルの最大コードレートからアップリンク制御チャネルを伝送する最大コードレートを決定するように構成される処理ユニット４１０を含み、
前記処理ユニット４１０は、さらに、前記アップリンク制御チャネルを伝送する最大コードレートに基づいて、前記アップリンク制御チャネルで搬送されるアップリンク制御情報を決定するように構成される。
【０１６６】
選択的に、前記処理ユニット４１０は、さらに、前記少なくとも１つのアップリンク制御チャネルの最大コードレートから、一つのアップリンク制御チャネルを伝送する最大コードレートを決定するように構成され、ここで、前記アップリンク制御チャネルによって搬送されるすべてのアップリンク制御情報は、１つの最大コードレートに対応する。
【０１６７】
選択的に、前記処理ユニット４１０は、さらに、前記少なくとも１つのアップリンク制御チャネルの最大コードレートから、複数のアップリンク制御チャネルを伝送する最大コードレートを決定するように構成され、ここで、前記アップリンク制御チャネルによって搬送される複数種類のアップリンク制御情報は、それぞれ複数の最大コードレートに対応する。
【０１６８】
選択的に、前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定される。
【０１６９】
選択的に、前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含む。
【０１７０】
選択的に、前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含む。
【０１７１】
選択的に、前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含む。
【０１７２】
選択的に、前記スクランブル方式は、スクランブルコードシーケンス初期化パラメータを含む。
【０１７３】
選択的に、前記処理ユニット４１０が少なくとも１つのアップリンク制御チャネルによって伝送される最大コードレートから、前記アップリンク制御チャネルを伝送する最大コードレートを決定する前に、前記端末機器４００は、
ネットワーク機器によって構成される前記少なくとも１つの最大コードレートを受信するように構成される受信ユニット４２０をさらに含む。
【０１７４】
選択的に、前記処理ユニット４１０は、さらに、前記複数種類のアップリンク制御情報にそれぞれ対応する最大コードレート内の最小値を、前記アップリンク制御チャネルを伝送する最大コードレートとして決定するように構成される。
【０１７５】
選択的に、前記処理ユニット４１０は、さらに、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定するように構成される。
【０１７６】
選択的に、前記処理ユニット４１０は、さらに、前記アップリンク制御チャネルを伝送する最大コードレート及び前記アップリンク制御情報の優先度に基づいて前記アップリンク制御チャネルで搬送されるアップリンク制御情報を決定するように構成される。
【０１７７】
本出願の実施例による端末機器４００は、本出願の方法２００の端末機器に対応することができ、そして端末機器４００の各ユニットの上記及び他の動作及び／又は機能は、それぞれ図２に示す方法２００中の端末機器の対応するプロセスを実現するためのものであることを理解されたい。簡潔にするために、詳細はここでは再度説明しない。
【０１７８】
図５は、本出願の実施例によるネットワーク機器５００の例示的なブロック図である。図５に示されるように、前記ネットワーク機器５００は、
少なくとも１つのアップリンク制御チャネルの最大コードレートからアップリンク制御チャネルを伝送する最大コードレートを決定するように構成される処理ユニット５１０を含み、
前記処理ユニット５１０は、さらに、前記アップリンク制御チャネルを伝送する最大コードレートに基づいて、前記アップリンク制御チャネルで搬送されるアップリンク制御情報を決定するように構成される。
【０１７９】
選択的に、前記処理ユニット５１０は、さらに、前記少なくとも１つのアップリンク制御チャネルの最大コードレートから、一つのアップリンク制御チャネルを伝送する最大コードレートを決定するように構成され、ここで、前記アップリンク制御チャネルによって搬送されるすべてのアップリンク制御情報は、１つの最大コードレートに対応する。
【０１８０】
選択的に、前記処理ユニット５１０は、さらに、前記少なくとも１つのアップリンク制御チャネルの最大コードレートから、複数のアップリンク制御チャネルを伝送する最大コードレートを決定するように構成され、ここで、前記アップリンク制御チャネルによって搬送される複数種類のアップリンク制御情報は、それぞれ複数の最大コードレートに対応する。
【０１８１】
選択的に、前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定される。
【０１８２】
選択的に、前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含む。
【０１８３】
選択的に、前記アップリンク制御情報に対応するサービスは、
超高信頼・低遅延（ＵＲＬＬＣ）、高度化モバイルブロードバンド（ｅＭＢＢ）、大規模マシンタイプ通信（ｍＭＴＣ）のうちの少なくとも一つを含む。
【０１８４】
選択的に、前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含む。
【０１８５】
選択的に、前記スクランブル方式は、スクランブルコードシーケンス初期化パラメータを含む。
【０１８６】
選択的に、前記処理ユニット５１０が少なくとも１つのアップリンク制御チャネルによって伝送される最大コードレートから、前記アップリンク制御チャネルを伝送する最大コードレートを決定する前に、前記処理ユニット５１０は、さらに、前記少なくとも１つのアップリンク制御チャネルの最大コードレートを構成するように構成される。
【０１８７】
選択的に、前記処理ユニット５１０が少なくとも１つのアップリンク制御チャネルによって伝送される最大コードレートから、前記アップリンク制御チャネルを伝送する最大コードレートを決定する前に、前記端末機器４００は、
ネットワーク機器によって構成される前記少なくとも１つの最大コードレートを受信するように構成される受信ユニット５２０をさらに含む。
【０１８８】
選択的に、前記処理ユニット５１０は、さらに、前記複数種類のアップリンク制御情報にそれぞれ対応する最大コードレート内の最小値を、前記アップリンク制御チャネルを伝送する最大コードレートとして決定するように構成される。
【０１８９】
選択的に、前記処理ユニット５１０は、さらに、前記アップリンク制御チャネルを伝送する最大コードレートに基づいて、前記アップリンク制御チャネルで搬送される前記アップリンク制御情報を決定し、複数種類のアップリンク制御情報のうちの少なくとも１種のアップリンク制御情報に対応する最大コードレートに基づいて、複数種類のアップリンク制御情報のうちの少なくとも１種のアップリンク制御情報をエンコードすることを決定するように構成される。
【０１９０】
選択的に、前記処理ユニット５１０は、さらに、前記アップリンク制御チャネルを伝送する最大コードレート及び前記アップリンク制御情報の優先度に基づいて前記アップリンク制御チャネルで搬送されるアップリンク制御情報を決定するように構成される。
【０１９１】
本出願の実施例によるネットワーク機器５００は、本出願の方法３００のネットワーク機器に対応してもよく、そしてネットワーク機器５００の各ユニットの上記及び他の動作及び／又は機能は、それぞれ図３に示す方法３００中のネットワーク機器の対応するプロセスを実現するためのものであることを理解されたい。簡潔にするために、詳細はここでは再度説明しない。
【０１９２】
図６は、本出願の実施例によって提供されるアップリンク制御チャネル伝送機器６００の例示的なブロック図を示し、前記機器６００は、
コードを含むプログラムを記憶するように構成されるメモリ６１０と、
他の機器と通信するように構成されるトランシーバ６２０と、
メモリ６１０内のプログラムコードを実行するように構成されるプロセッサ６３０とを含む。
【０１９３】
選択的に、前記コードが実行されると、前記プロセッサ６３０は、図２中の方法２００の端末機器によって実行される各動作を実現することもでき、簡潔にするために、詳細はここでは再度説明しない。この時、前記機器６００は、端末機器（例えば、携帯電話）であってもよい。トランシーバ６２０は、プロセッサ６３０の駆動下で具体的な信号送受信を実行するように構成される。
【０１９４】
選択的に、前記コードが実行されると、前記プロセッサ６３０は、さらに、図３中の方法３００のネットワーク機器によって実行される各動作を実現することもでき、簡潔にするために、詳細はここでは再度説明しない。この時、前記機器６００は、ネットワーク機器（例えば、アクセスネットワーク機器、又はコアネットワーク機器）であってもよい。
【０１９５】
本出願の実施例において、前記プロセッサ６３０は、中央処理装置（ＣＰＵ：Ｃｅｎｔｒａｌ  Ｐｒｏｃｅｓｓｉｎｇ  Ｕｎｉｔ）であってもよく、前記プロセッサ６３０は、他の汎用プロセッサ、デジタル信号プロセッサ（ＤＳＰ）、特定用途向け集積回路（ＡＳＩＣ）、フィールドプログラマブルゲートアレイ（ＦＰＧＡ）、又は他のプログラム可能なロジックデバイス、ディスクリートゲート、又はトランジスタロジックデバイス、ディスクリートハードウェアコンポーネントなどであってもよい。汎用プロセッサは、マイクロプロセッサであってもよく、又は前記プロセッサは、任意の従来のプロセッサなどであってもよい。
【０１９６】
前記メモリ６１０は、読み取り専用メモリとランダムアクセスメモリを含み、命令及びデータをプロセッサ６３０に提供することができる。メモリ６１０の一部は、不揮発性ランダムアクセスメモリをさらに含み得る。例えば、メモリ６１０は、さらにデバイスタイプの情報を記憶してもよい。
【０１９７】
トランシーバ６２０は、周波数変調及び復調機能又はアップコンバージョン及びダウンコンバージョン機能などの信号送信及び受信機能を実現するように構成される。
【０１９８】
実現プロセスにおいて、前記方法の少なくとも１つのステップは、プロセッサ６３０内のハードウェアの集積論理回路によって完了することができ、又は前記集積論理回路は、ソフトウェアの形の命令によって駆動されて前記少なくとも１つのステップを完了することができる。そのため、アップリンク制御チャネル伝送機器６００は、チップ又はチップセットであり得る。本出願の実施例と組み合わせて開示される方法のステップは、ハードウェアプロセッサによって実行されて完了するように直接に具現されてもよく、又はプロセッサ内のハードウェア及びソフトウェアモジュールの組み合わせによって実行されて完了してもよい。ソフトウェアモジュールは、ランダムメモリ、フラッシュメモリ、読み取り専用メモリ、プログラム可能な読み取り専用メモリ又は電気的に消去可能なプログラム可能なメモリ、レジスタなどの本分野で熟知した記憶媒体に配置されてもよい。前記記憶媒体は、メモリ内に配置され、プロセッサ６３０はメモリ内の情報を読み取り、そのハードウェアと組み合わせて前記方法のステップを完了する。繰り返しを避けるため、ここでは再び詳しく説明しない。
【０１９９】
図７は、本出願の実施例によるシステムチップ７００の例示的な構成図である。図７のシステムチップ７００は、入力インターフェース７０１、出力インターフェース７０２、プロセッサ７０３及びメモリ７０４を含み、それらは内部通信接続ラインを介して接続され、前記プロセッサ７０３は、前記メモリ７０４内のコードを実行するように構成される。
【０２００】
選択的に、前記コードが実行されると、前記プロセッサ７０３は、方法実施例中の端末機器によって実行される方法を実現する。簡潔にするために、詳細はここでは再度説明しない。
【０２０１】
選択的に、前記コードが実行されると、前記プロセッサ７０３は、方法実施例中のネットワーク機器によって実行される方法を実現する。簡潔にするために、詳細はここでは再度説明しない。
【０２０２】
当業者は、本明細書で開示される実施例と組み合わせて説明された各例示のユニット及びアルゴリズムステップは、電子ハードウェア、又はコンピュータソフトウェアと電子ハードウェアの組み合わせによって実現されることができることを理解するであろう。これらの機能がハードウェアの形態で実行されるかソフトウェアの形で実行されるかは、技術的解決策の特定のアプリケーションと設計上の制約条件に依存する。専門技術者は、特定のアプリケーションごとに対して、異なる方法を使用して説明された機能を実現することができるが、このような実現は本出願の範囲を超えると見なされるべきではない。
【０２０３】
説明の便宜上及び簡潔にするために、上記に説明されたシステム、装置及びユニットの具体的な作業プロセスは、前述の方法実施例中の対応するプロセスを参照することができ、ここでは繰り返さないことを当業者は明確に理解することができる。
【０２０４】
本出願で提供されるいくつかの実施例では、開示されたシステム、装置及び方法は、他の方法で実現されることができることを理解されたい。例えば、上記で説明された装置実施例は例示的なものに過ぎず、例えば、前記ユニットの分離は、論理機能の分離に過ぎず、実際の実現時には別の分離方法があり、例えば、複数のユニット又はコンポーネントを別のシステムに統合又は集積したり、又は一部の特徴を無視したり、又は実行しないことができる。なお、表示又は議論された相互結合又は直接結合又は通信接続は、電気的、機械的又は他の形態の一部のインターフェース、装置又はユニットを介した間接結合又は通信接続であり得る。
【０２０５】
前記分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もある。実際の必要に応じて、その中の一部又は全部ユニットを選択して本発明の実施例の目的を実現することができる。
【０２０６】
なお、本発明の実施例における各機能ユニットは１つの処理ユニットに統合されてもよく、又は各ユニットが物理的に別々に存在してもよく、２つ又は２つ以上のユニットを１つのユニットに統合してもよい。
【０２０７】
前記機能が、ソフトウェア機能ユニットの形で実現され、独立した製品として販売又は使用される場合、コンピュータ読み取り可能な記憶媒体に記憶することができる。このような理解に基づいて、本発明の実施例の技術的解決策は、本質的に又は先行技術に対して寄与する部分又は前記技術的解決策の一部は、ソフトウェア製品の形で具現されることができ、前記コンピュータソフトウェア製品は、１つの記憶媒体に記憶され、コンピュータ機器（パーソナルコンピュータ、サーバ、又はネットワーク機器等であり得る）に本出願の各実施例に記載の方法の全部又は一部のステップを実行させるためのいくつかの命令を含む。前述した記憶媒体は、Ｕディスク、モバイルハードディスク、読み取り専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどのプログラムコードを記憶することができる様々な媒体を含む。
【０２０８】
上記の内容は、本出願の具体的な実施形態に過ぎないが、本出願の保護範囲はこれに限定されず、いずれの当業者は、本出願に開示された技術的範囲内で容易に想到し得る変更又は置換はすべて本出願の保護範囲内に含まれるべきである。したがって、特許請求の範囲の保護範囲に従うものとする。
【図１】
2021503736.tif 000003
【図２】
2021503736.tif 000004
【図３】
2021503736.tif 000005
【図４】
2021503736.tif 000006
【図５】
2021503736.tif 000007
【図６】
2021503736.tif 000008
【図７】
2021503736.tif 000009
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
アップリンク制御チャネルの伝送方法であって、
端末機器が、少なくとも１つのアップリンク制御チャネルの最大コードレートからアップリンク制御チャネルを伝送する最大コードレートを決定することと、
前記端末機器が、前記アップリンク制御チャネルを伝送する最大コードレートに基づいて、前記アップリンク制御チャネルで搬送されるアップリンク制御情報を決定することとを含む、前記アップリンク制御チャネルの伝送方法。
【請求項２】
異なるＰＵＣＣＨフォーマットに対して最大コードレートが構成される、
請求項１に記載のアップリンク制御チャネルの伝送方法。
【請求項３】
前記アップリンク制御チャネルを伝送する最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つに基づいて、決定されることを特徴とする、
請求項１又は２に記載のアップリンク制御チャネルの伝送方法。
【請求項４】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項１ないし３のいずれか一項に記載のアップリンク制御チャネルの伝送方法。
【請求項５】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項３又は４に記載のアップリンク制御チャネルの伝送方法。
【請求項６】
前記端末機器が、少なくとも１つのアップリンク制御チャネルによって伝送される最大コードレートから、前記アップリンク制御チャネルを伝送する最大コードレートを決定する前に、前記方法は、
前記端末機器が、ネットワーク機器によって構成される前記少なくとも１つのアップリンク制御チャネルの最大コードレートを受信することをさらに含むことを特徴とする、
請求項１ないし５のいずれか一項に記載のアップリンク制御チャネルの伝送方法。
【請求項７】
アップリンク制御チャネルの伝送方法であって、
ネットワーク機器が、少なくとも１つのアップリンク制御チャネルの最大コードレートからアップリンク制御チャネルを伝送する最大コードレートを決定することと、
前記ネットワーク機器が、前記アップリンク制御チャネルを伝送する最大コードレートに基づいて、前記アップリンク制御チャネルで搬送されるアップリンク制御情報を決定することとを含む、前記アップリンク制御チャネルの伝送方法。
【請求項８】
異なるＰＵＣＣＨフォーマットに対して最大コードレートが構成される、
請求項７に記載のアップリンク制御チャネルの伝送方法。
【請求項９】
端末機器であって、
少なくとも１つのアップリンク制御チャネルの最大コードレートからアップリンク制御チャネルを伝送する最大コードレートを決定するように構成される処理ユニットを含み、
前記処理ユニットは、さらに、前記アップリンク制御チャネルを伝送する最大コードレートに基づいて、前記アップリンク制御チャネルで搬送されるアップリンク制御情報を決定するように構成される、前記端末機器。
【請求項１０】
異なるＰＵＣＣＨフォーマットに対して最大コードレートが構成される、
請求項９に記載の端末機器。
【請求項１１】
前記少なくとも１つのアップリンク制御チャネルの最大コードレートは、アップリンク制御情報タイプ、アップリンク制御情報に対応するサービス、アップリンク制御チャネルのフォーマット、アップリンク制御チャネルのリソース構成、アップリンク制御情報の対応するデータのスクランブル方式及びアップリンク制御情報の対応するデータに対応するダウンリンク制御チャネルの構成のうちの少なくとも一つによって決定されることを特徴とする、
請求項９又は１０に記載の端末機器。
【請求項１２】
前記アップリンク制御情報タイプは、
混合自動再送要求（ＨＡＲＱ）フィードバック情報ＡＣＫ／ＮＡＣＫ、チャネル状態情報（ＣＳＩ）、サービス要求（ＳＲ）のうちの少なくとも一つを含むことを特徴とする、
請求項１１に記載の端末機器。
【請求項１３】
前記ダウンリンク制御チャネルの構成は、
ダウンリンク制御チャネルで使用される巡回冗長検査（ＣＲＣ）スクランブル方式、ダウンリンク制御チャネルの所在するサーチスペース、ダウンリンク制御チャネルの所在する制御リソースセット、ダウンリンク制御チャネルの集約レベル、ダウンリンク制御チャネルのフォーマットのうちの少なくとも１つを含むことを特徴とする、
請求項１１又は１２に記載の端末機器。
【請求項１４】
前記処理ユニットが少なくとも１つのアップリンク制御チャネルによって伝送される最大コードレートから、前記アップリンク制御チャネルを伝送する最大コードレートを決定する前に、前記端末機器は、
ネットワーク機器によって構成される前記少なくとも１つのアップリンク制御チャネルの最大コードレートを受信するように構成される受信ユニットをさらに含むことを特徴とする、
請求項９ないし１３のいずれか一項に記載の端末機器。
【請求項１５】
ネットワーク機器であって、
少なくとも１つのアップリンク制御チャネルの最大コードレートからアップリンク制御チャネルを伝送する最大コードレートを決定するように構成される処理ユニットを含み、
前記処理ユニットは、さらに、ネットワーク機器が前記アップリンク制御チャネルを伝送する最大コードレートに基づいて、前記アップリンク制御チャネルで搬送されるアップリンク制御情報を決定するように構成されることを特徴とする、前記ネットワーク機器。
【国際調査報告】
2021503736.tif 000010
2021503736.tif 000011
2021503736.tif 000012
2021503736.tif 000013